(57)【要約】【課題】後から不正に記入された情報を容易に発見することが可能な記入情報表示装置等を提供する。【解決手段】記入情報表示装置３は、記入情報の記入時点及び記入頁を取得する（ステップＳ２１）。次に、記入情報表示装置３は、強調表示判定処理を行う（ステップＳ２２）。強調表示判定処理では、記入情報表示装置３は、記入時点及び記入位置を参照し、所定の判定条件に基づいて、過去に遡及している記入情報か否かを判定し、過去に遡及している記入情報を強調表示対象として決定する。そして、記入情報表示装置３は、強調表示判定処理の結果に基づいて、強調表示対象の記入情報を強調表示するように制御する（ステップＳ２３）。【選択図】図８
2016105229.tif 000002
【特許請求の範囲】
【請求項１】
記入帳に時系列順に記入される記入情報を表示する記入情報表示装置であって、
前記記入情報の記入時点及び記入位置を取得する取得手段と、
前記記入時点及び前記記入位置を参照し、所定の判定条件に基づいて、過去に遡及している前記記入情報を強調表示するように制御する表示制御手段と、
を有することを特徴とする記入情報表示装置。
【請求項２】
前記表示制御手段は、前記記入時点が所定の単位期間を超えて過去に遡及している前記記入情報を強調表示対象として決定する
ことを特徴とする請求項１に記載の記入情報表示装置。
【請求項３】
前記取得手段は、前記記入情報の記入に用いられる電子ペンから受信する記入時刻を前記記入情報ごとの前記記入時点として取得する
ことを特徴とする請求項１又は請求項２に記載の記入情報表示装置。
【請求項４】
前記表示制御手段は、更に、強調表示される前記記入情報に係る前記記入時点を表示するように制御する
ことを特徴とする請求項１乃至請求項３のいずれかに記載の記入情報表示装置。
【請求項５】
前記表示制御手段は、更に、強調表示される前記記入情報の周辺に位置する前記記入情報に係る前記記入時点を表示するように制御する
ことを特徴とする請求項４に記載の記入情報表示装置。
【請求項６】
コンピュータが、記入帳に時系列順に記入される記入情報を表示する記入情報表示方法であって、
前記コンピュータの制御部が、
前記記入情報の記入時点及び記入位置を取得する取得ステップと、
前記記入時点及び前記記入位置を参照し、所定の判定条件に基づいて、過去に遡及している前記記入情報を強調表示するように制御する表示制御ステップと、
を実行することを特徴とする記入情報表示方法。
【請求項７】
コンピュータを、記入帳に時系列順に記入される記入情報を表示する記入情報表示装置として機能させるためのプログラムであって、
前記コンピュータを、
前記記入情報の記入時点及び記入位置を取得する取得手段と、
前記記入時点及び前記記入位置を参照し、所定の判定条件に基づいて、過去に遡及している前記記入情報を強調表示するように制御する表示制御手段として機能させるためのプログラム。
【発明の詳細な説明】
【技術分野】
【０００１】
本発明は、記入帳に時系列順に記入される記入情報を表示する記入情報表示装置等に関するものである。
【背景技術】
【０００２】
従来から、実験の内容を実験ノートなどの記入帳に記入することが行われている。記入帳としては、例えば、記入情報を電子化する電子ペン専用の専用紙を用いることができる。電子ペンの代表的なものとしてスウェーデンのＡｎｏｔｏ社が開発した「アノトペン（Ａｎｏｔｏ
ｐｅｎ）」が知られている。特許文献１に記載されているように、アノトペンは、用紙に印刷された所定のドットパターンを読み取って記入情報を生成し、記入情報をコンピュータに送信する。
【先行技術文献】
【特許文献】
【０００３】
【特許文献１】特許第３８４２２８３号公報
【発明の概要】
【発明が解決しようとする課題】
【０００４】
ところで、実験ノートでは、不正防止のため、「ボールペンで記入し、修正履歴が残るように記入すること。すきまなく、行間なく記入し、余白にはバツ印を記入すること。」といったルールがある。しかしながら、通常のボールペンでは、後から不正に記入された情報かどうかを判断することは困難である。
【０００５】
本発明は、前述した問題点に鑑みてなされたものであり、その目的とすることは、後から不正に記入された情報を容易に発見することが可能な記入情報表示装置等を提供することである。
【課題を解決するための手段】
【０００６】
前述した目的を達成するための第１の発明は、記入帳に時系列順に記入される記入情報を表示する記入情報表示装置であって、前記記入情報の記入時点及び記入位置を取得する取得手段と、前記記入時点及び前記記入位置を参照し、所定の判定条件に基づいて、過去に遡及している前記記入情報を強調表示するように制御する表示制御手段と、を有することを特徴とする記入情報表示装置である。第１の発明によって、後から不正に記入された情報を容易に発見することが可能となる。
【０００７】
第１の発明における前記表示制御手段は、前記記入時点が所定の単位期間を超えて過去に遡及している前記記入情報を強調表示対象として決定することが望ましい。これによって、
【０００８】
例えば、第１の発明における前記取得手段は、前記記入情報の記入に用いられる電子ペンから受信する記入時刻を前記記入情報ごとの前記記入時点として取得する。これによって、記入時点を正確に取得することができる。
【０００９】
例えば、第１の発明における前記表示制御手段は、更に、強調表示される前記記入情報に係る前記記入時点を表示するように制御する。これによって、
【００１０】
例えば、第１の発明における前記表示制御手段は、更に、強調表示される前記記入情報の周辺に位置する前記記入情報に係る前記記入時点を表示するように制御する。これによって、
【００１１】
第２の発明は、コンピュータが、記入帳に時系列順に記入される記入情報を表示する記入情報表示方法であって、前記コンピュータの制御部が、前記記入情報の記入時点及び記入位置を取得する取得ステップと、前記記入時点及び前記記入位置を参照し、所定の判定条件に基づいて、過去に遡及している前記記入情報を強調表示するように制御する表示制御ステップと、を実行することを特徴とする記入情報表示方法である。第２の発明によって、後から不正に記入された情報を容易に発見することが可能となる。
【００１２】
第３の発明は、コンピュータを、記入帳に時系列順に記入される記入情報を表示する記入情報表示装置として機能させるためのプログラムであって、前記コンピュータを、前記記入情報の記入時点及び記入位置を取得する取得手段と、前記記入時点及び前記記入位置を参照し、所定の判定条件に基づいて、過去に遡及している前記記入情報を強調表示するように制御する表示制御手段として機能させるためのプログラムである。第３の発明のプログラムを汎用のコンピュータにインストールすることによって、第１の発明の記入情報表示装置を得ることができる。
【発明の効果】
【００１３】
本発明により、後から不正に記入された情報を容易に発見することが可能な記入情報表示装置等を提供することができる。
【図面の簡単な説明】
【００１４】
【図１】記入情報表示システムの概要を示す図
【図２】ドットパターンのドットとそのドットが変換される値との関係を示す図
【図３】（ａ）は、ドットパターンを模式的に示し、（ｂ）は、それに対応する情報の例を示す図
【図４】電子ペン１の構造を示す概略図
【図５】記入情報表示装置３のハードウエア構成図
【図６】座標定義情報のデータ構造の一例を示す図
【図７】アップロード処理を示すフローチャート
【図８】表示制御処理を示すフローチャート
【図９】強調表示判定処理を示すフローチャート
【図１０】強調表示の一例を示す図
【図１１】強調表示の他の一例を示す図
【発明を実施するための形態】
【００１５】
以下図面に基づいて、本発明の実施形態を詳細に説明する。本発明は、後述する記入帳を実験ノートとして用いる場合に好適であるが、これに限定されるわけではない。本発明は、前述の課題を有するものに適用すれば、実験ノートに適用する場合と同様の効果を奏する。
【００１６】
図１は、記入情報表示システムの概要を示す図である。図１に示すように、記入情報表示システムは、電子ペン１と、記入帳２と、記入情報表示装置３とを備える。
【００１７】
記入帳２には、時系列順に電子ペン１によって記入される。記入帳２の各頁には、それぞれ異なる座標範囲のドットパターン（コード化パターン）が印刷される。ドットパターンは、電子ペン１により読み取ることができるように赤外線を吸収するカーボンを含んだインクにより印刷され、その他の文字や図などは、赤外線を吸収しないインキにより印刷される。記入帳２の電子データは、記入情報表示装置３により記憶される。記入帳２の各頁を示す画像は、記入情報表示装置３により表示される。
【００１８】
図２は、ドットパターンのドットとそのドットが変換される値との関係を示す図である。図２は、アノト方式のドットパターン（コード化パターン）を示している。図２に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、更に、Ｘ座標用の第１ビット値及びＹ座標用の第２ビット値に変換できる。このようにして対応付けられた情報の組合せにより、記入帳２の各頁上の位置座標が決定されるように構成されている。
【００１９】
記入帳２の頁同士では、座標領域が重ならないようにドットパターンが形成される。すなわち、各ドットパターンによって、同一頁内の位置座標の識別（例えば、そのドットパターンが記入帳２の各頁上のどの位置にあるのか）だけでなく、頁番号も識別可能である。
【００２０】
図３（ａ）は、ドットパターンを模式的に示し、図３（ｂ）は、それに対応する情報の例を示す図である。図３（ａ）に示すように、縦横約２ｃｍの範囲内に６×６個のドットが、記入帳２のどの部分から６×６ドットを取ってもユニークなパターンとなるように配置されている。これら３６個のドットにより形成されるドットパターンは、頁番号と、各頁内の位置座標の情報を保持している。図３（ｂ）は、図３（ａ）に示す規則性に基づいて対応付けられた値に変換したものである。この変換は、ドットパターンの画像を撮影する電子ペン１によって行われる。
【００２１】
図４は、電子ペン１の構造を示す概略図である。図４に示すように、電子ペン１は、その筐体１０１の内部に、インクカートリッジ１０４、ＬＥＤ１０５、ＣＭＯＳカメラ１０６、圧力センサ１０７、ＣＰＵ（Central Processing Unit）等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、ペン先部１０３となっており、ユーザは、電子ペン１のペン先部１０３を記入帳２の各頁に当接させて、ストローク（手書きストローク）を記入する。ここで、電子ペン１のペン先部１０３が記入帳２の各頁等に最初に接触することを「ペンダウン」と呼び、接触している（当接している）状態からペン先部１０３が離れることを「ペンアップ」と呼ぶ。電子ペン１のペンダウンからペンアップまでの間に記入される軌跡が１つのストロークとなり、文字や図形等は、１つ又は複数個のストロークからなる。
【００２２】
バッテリー１１２は、電子ペン１内の各部品に電力を供給するためのものであり、例えば電子ペン１のキャップ（図示せず）の脱着により電子ペン１自体の電源のオン／オフを行うように構成してもよい。リアルタイムクロック１１０は、記入時刻（タイムスタンプ）を示す時刻情報を発信し、プロセッサ１０８に供給する。圧力センサ１０７は、ユーザが電子ペン１により記入帳２の各頁等に文字やマークを書く際にペン先部１０３からインクカートリッジ１０４を通じて与えられる圧力、即ち筆圧を検出し、その値をプロセッサ１０８へ伝送する。
【００２３】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１で記入帳２の各頁等に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報と、後述する電子ペン１の識別情報（以後、「ペンＩＤ」と呼ぶ。）とを関連付けて、記入情報表示装置３へ送信する。また、ユーザが１つのストロークを記入し終えて電子ペン１を記入帳２の各頁等から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報表示装置３へ送信する。
【００２４】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、記入帳２の各頁上のペン先部１０３近傍に向けて赤外線を照明する。その領域は、ペン先部１０３が記入帳２の各頁等に接触する位置とはわずかにずれている。ＣＭＯＳカメラ１０６には、赤外線を透過し赤外線以外を遮断する赤外線フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、記入帳２の各頁に文字や図面などが印刷されていた場合でも、印刷したインクは赤外域に吸収性を持たないため、プロセッサ１０８は、ドットパターンを認識することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００２５】
プロセッサ１０８は、ユーザの記入が行われる間、ＣＭＯＳカメラ１０６によって供給される画像データのドットパターンから、ユーザが記入するストローク（筆跡）の記入帳２の各頁等におけるＸ、Ｙ座標（以後、単に「座標データ」とも呼ぶ。）を連続的に演算していく。すなわち、プロセッサ１０８は、ＣＭＯＳカメラ１０６によって供給される、図３（ａ）に示されるようなドットパターンの画像データを図３（ｂ）に示すデータ配列に変換し、さらに、Ｘ座標ビット値・Ｙ座標ビット値に変換して、そのデータ配列から所定の演算方法により座標データを演算する。なお、プロセッサ１０８は、ドットパターンに対向する電子ペン１の角度に起因するドットの画像上の配列を補正する回転補正処理機能を備えており、座標演算の際にその機能が実行される。そして、プロセッサ１０８は、リアルタイムクロック１１０から発信される記入時刻（タイムスタンプ）、筆圧データ及び座標データを対応付ける。以後、これらの関連付けたデータを、まとめて「座標属性情報」と呼ぶ。なお、記入帳２の各頁における６×６のドットパターンは、記入帳２で重複することはないため、ユーザが電子ペン１で文字等を記入すると、記入された位置が記入帳２の各頁のどの位置に当たるかを、プロセッサ１０８による座標演算により特定することができる。
【００２６】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、記入時刻（タイムスタンプ）と、筆圧データと、座標データとを関連付けて、記入情報表示装置３へ送信する。この場合の通信ユニット１１１による記入情報表示装置３への送信は、Bluetooth（登録商標）などの無線送信によって、即時的かつ逐次的に行われる。ここで、電子ペン１のペンダウンからペンアップまでの間に生成されて記入情報表示装置３に送信された１個又は複数個の座標属性情報は、記入情報表示装置３に記憶される。換言すると、１つのストロークは、１個又は複数個のＸ、Ｙ座標（座標点）からなり、記入情報表示装置３は、ペンダウン情報及びペンアップ情報によって、１つのストロークを構成する１個又は複数個の座標属性情報を認識する。
以降、電子ペン１のペンダウンからペンアップまでの間に生成されて記入情報表示装置３に送信される１個又は複数個の座標属性情報を「記入情報」と呼ぶ。
【００２７】
なお、電子ペン１は、インクカートリッジ１０４に代えて、インキが充填されていないペン部を備えてもよい。
【００２８】
図５は、記入情報表示装置３のハードウエア構成図である。なお、図５のハードウエア構成は一例である。記入情報表示装置３は、用途、目的に応じて様々な構成を採ることが可能であり、デスクトップＰＣ（Personal Computer）、ノートＰＣ、タブレットＰＣ、スマートフォン等のいずれであっても良い。
【００２９】
図５に示すように、記入情報表示装置３は、制御部３１、記憶部３２、メディア入出力部３３、通信制御部３４、入力部３５、表示部３６、周辺機器Ｉ／Ｆ部３７等が、バス３８を介して接続される。
【００３０】
制御部３１は、ＣＰＵ（Central Processing Unit）、ＲＯＭ（Read Only Memory）、ＲＡＭ（Random Access Memory）等によって構成される。ＣＰＵは、記憶部３２、ＲＯＭ、記録媒体等に格納されるプログラムをＲＡＭ上のワークメモリ領域に呼び出して実行し、バス３８を介して接続された各装置を駆動制御し、記入情報表示装置３が行う後述する処理を実現する。ＲＯＭは、不揮発性メモリであり、コンピュータのブートプログラムやＢＩＯＳ等のプログラム、データ等を恒久的に保持している。ＲＡＭは、揮発性メモリであり、記憶部３２、ＲＯＭ、記録媒体等からロードしたプログラム、データ等を一時的に保持するとともに、制御部３１が各種処理を行う為に使用するワークエリアを備える。
【００３１】
記憶部３２は、ＨＤＤ（Hard Disk Drive）等であり、制御部３１が実行するプログラム、プログラム実行に必要なデータ、ＯＳ（Operating System）等が格納される。プログラムに関しては、ＯＳに相当する制御プログラムや、後述する処理をコンピュータに実行させるためのアプリケーションプログラムが格納されている。これらの各プログラムコードは、制御部３１により必要に応じて読み出されてＲＡＭに移され、ＣＰＵに読み出されて各種の手段として実行される。
【００３２】
メディア入出力部３３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）等のメディア入出力装置を有する。通信制御部３４は、通信制御装置、通信ポート等を有し、コンピュータとネットワーク間の通信を媒介する通信インタフェースであり、ネットワークを介して、他のコンピュータ間との通信制御を行う。ネットワークは、有線、無線を問わない。
【００３３】
入力部３５は、データの入力を行い、例えば、キーボード、マウス等のポインティングデバイス、テンキー等の入力装置を有する。入力部３５を介して、コンピュータに対して、操作指示、動作指示、データ入力等を行うことができる。表示部３６は、液晶パネル等のディスプレイ装置、ディスプレイ装置と連携してコンピュータのビデオ機能を実現するための論理回路等（ビデオアダプタ等）を有する。尚、入力部３５及び表示部３６は、タッチパネルディスプレイのように、一体となっていても良い。
【００３４】
周辺機器Ｉ／Ｆ（Interface）部３７は、コンピュータと周辺機器とのデータ送受信を行うためのポートやアンテナ等であり、コンピュータは周辺機器Ｉ／Ｆ部３７を介して周辺機器とのデータの送受信を行う。周辺機器との接続形態は、有線（例えば、ＵＳＢ（Universal Serial Bus）等）、無線（例えば、Bluetooth（登録商標）等）を問わない。バス３８は、各装置間の制御信号、データ信号等の授受を媒介する経路である。
【００３５】
図６は、記憶部３２に記憶される「座標定義情報」のデータ構造の一例を示す図である。座標定義情報とは、記入帳２の各頁に印刷されたドットパターンが示す座標範囲の情報を示すものである。図６の例では、座標定義情報は、記入帳２の頁ごとに、記入帳２の種類を識別するための記入帳ＩＤを示す項目と、頁番号を示す項目と、記入帳２の頁に印刷されたドットパターンの座標範囲を示す項目とを含む。なお、ここでは、図１に示す記入帳２の記入帳ＩＤは「Ｎ０１」とし、座標範囲は、角の位置情報（Ｘｎ、Ｙｎ）、高さ（Ｙ方向）、幅（Ｘ方向）で規定されている。
【００３６】
図７は、アップロード処理を示すフローチャートである。図７に示すように、電子ペン１の通信ユニット１１１から記入情報が送信されると、記入情報表示装置３の制御部３１は、周辺機器Ｉ／Ｆ部３７を介して記入情報を受信し（ステップＳ１１）、受信した記入情報をペンＩＤごとに記憶部３２に記憶する（ステップＳ１２）。このとき、制御部３１は、図６に示す記入帳２の座標定義情報を参照し、記入情報を頁番号と関連付けて、記憶部３２に記憶する。
【００３７】
なお、ステップＳ１２の変形例として、制御部３１は、電子ペン１から受信する記入情報を、通信制御部３４及びネットワークを介して、図示しないサーバに送信し、サーバの記憶装置に記憶させるようにしても良い。この場合、制御部３１は、必要に応じて、サーバの記憶装置から記入情報を取得する。
【００３８】
また、電子ペン１が、インクカートリッジ１０４に代えて、インキが充填されていないペン部を備えている場合、制御部３１は、一時的にＲＡＭに記入情報を記憶するようにしても良い。この場合、制御部３１は、ＲＡＭに記憶する記入情報を即時的に表示部３６に表示するようにしても良い。そして、制御部３１は、ユーザからの求めに応じて、記憶部３２に記入情報を記憶したり、サーバの記憶装置に記憶させたりしても良い。以下では、制御部３１は、記憶部３２に記入情報を記憶するものとして説明する。
【００３９】
図８は、記入情報表示装置３の表示制御処理を示すフローチャートである。
【００４０】
最初に、制御部３１は、記憶部３２から記入情報の記入時点及び記入位置を取得する（ステップＳ２１）。記入時点とは、各記入情報が記入された日付や時刻等の情報である。記入位置とは、各記入情報が記入された頁内の位置の情報である。制御部３１は、記憶部３２から、記入情報ごとの記入時点として記入時刻（タイムスタンプ）を取得し、記入情報ごとの記入位置として記入情報の座標データを取得する。
【００４１】
次に、制御部３１は、強調表示判定処理を行う（ステップＳ２２）。
図９は、強調表示判定処理を示すフローチャートである。強調表示判定処理では、制御部３１は、記入時点及び記入位置を参照し、所定の判定条件に基づいて、過去に遡及している記入情報か否かを判定し、過去に遡及している記入情報を強調表示対象として決定する。
【００４２】
まず、制御部３１は、記入位置の順に記入情報を判定対象として選択する（ステップＳ３１）。記入位置の順とは、記入位置の前後関係を意味し、昇順であっても良いし、降順であっても良い。
【００４３】
記入位置の前後関係の順序は、文字を書き進める方向（書字方向）と同一とする。例えば、左横書きであれば、左上から順に、左端から右端へ横方向（Ｘ方向）に進み、右端に到達すると、上から下へ縦方向（Ｙ方向）に一行ずれて、左端から右端へ横方向（Ｘ方向）に進むことを繰り返す。従って、左横書きの場合、原点を左上、右方向をＸ軸の正方向、下方向をＹ軸の正方向とすると、制御部３１は、記入情報を構成する１個又は複数個の座標属性情報のうち、最小のＸ座標及び最小のＹ座標を用いて、記入情報同士の記入位置の前後関係を判断する。そして、制御部３１は、Ｙ座標が小さい値の方が、記入位置は「前」と判断し、Ｙ座標が同一であれば、Ｘ座標が小さい値の方が、記入位置は「前」と判断する。
【００４４】
次に、制御部３１は、判定対象の記入情報の記入時点が、所定の単位期間を超えて過去に遡及しているか否か判定する（ステップＳ３２）。単位期間は、例えば、１分間、１時間、半日、１日、１週間等である。
【００４５】
実験ノートなどの記入帳２は、時系列順に記入されるルールとなっているから、記入位置の昇順は時系列順と同一の順序になる。従って、「判定対象の記入情報の記入時点が、所定の単位期間を超えて過去に遡及しているか否か」は、判定対象の記入情報よりも記入位置が「後」かつ記入時点が「前」の記入情報が存在するか否か、或いは、判定対象の記入情報よりも記入位置が「前」かつ記入時点が「後」の記入情報が存在するか否か、によって判定することができる。換言すると、ステップＳ３２では、制御部３１は、記入時点の前後関係及び記入位置の前後関係が互いに矛盾しているか否かを判定する。
【００４６】
ステップＳ３２の判定において、「単位期間」という幅を持たせた理由は、不正の追記ではないのに、不正と判断してしまう「誤検知」を減らすためである。例えば、「あ」という文字を通常の書き順で記入する場合、２画目の記入位置は、１画目の記入位置よりも「前」になってしまうが、これは不正ではない。また、１つの文章を記入し終えた後、訂正するために、その文章に訂正線（横二重線など）を記入することがあるが、これも不正ではない。そこで、このような記入を誤って検知しないように、本発明の実施の形態では、ステップＳ３２の判定において、単位期間という幅を持たせる。
【００４７】
ステップＳ３２の判定がＹｅｓの場合、制御部３１は、判定対象の記入情報を強調表示対象に決定し（ステップＳ３３）、ステップＳ３４に進む。ステップＳ３２の判定がＮｏの場合、制御部３１は、そのままステップＳ３４に進む。
【００４８】
次に、制御部３１は、全ての記入情報について判定済か否か確認する（ステップＳ３４）。判定済ではない場合（ステップＳ３４のＮｏ）、制御部３１は、ステップＳ３１から処理を繰り返す。判定済の場合（ステップＳ３４のＹｅｓ）、制御部３１は、強調表示判定処理を終了する。
【００４９】
図８のフローチャートの説明に戻る。制御部３１は、上記した強調表示判定処理の結果に基づいて、強調表示対象の記入情報を表示部３６に強調表示するように制御する（ステップＳ２３）。
【００５０】
図１０は、強調表示の一例を示す図である。図１０（ａ）は、記入帳２ａの模式図である。図１０（ｂ）は、表示部３６に表示される表示画面４ａの模式図である。表示画面４ａには、表示画像４１ａが表示されている。
【００５１】
図１０に示す例では、日付が２月２日の記入範囲の右下、及び日付が２月６日の記入範囲の中央において、後から不正に記入された強調表示対象４２ａ及び４２ｂの記入情報が存在する。これらの強調表示対象４２ａ及び４２ｂの記入情報について、制御部３１は、他の文字や図表と色分けして表示したり、周辺を囲む矩形を表示したり、点滅表示したりするように制御する。このような強調表示は、ユーザに対する警告表示となるので、ユーザは、後から不正に記入された可能性がある記入情報を容易に発見することができる。
【００５２】
例えば、ユーザが、入力部３５を介して、強調表示対象の記入情報を選択すると、制御部３１は、強調表示対象の記入情報に係る記入時点を表示するように制御しても良い。図１０に示す例では、ユーザが、強調表示対象４２ａにマウスポインタ４３を重畳させると（マウスオーバーさせると）、制御部３１は、強調表示対象４２ａの記入情報に係る記入時点「３月５日」をポップアップ４４として表示するように制御している。
【００５３】
なお、実験ノートにおいては、実験が行われた日付ごとに頁を分けて記入することが一般的であるものの、図１０に示す例のように、同一頁内に異なる日付による記入情報が含まれていても、本発明を適用することができる。
【００５４】
図１１は、強調表示の他の一例を示す図である。図１１（ａ）は、記入帳２ｂの模式図である。図１１（ｂ）は、表示部３６に表示される表示画面４ｂの模式図である。表示画面４ｂには、表示画像４１ｂが表示されている。
【００５５】
図１１に示す例では、日付が３月４日の記入範囲の右下、及び日付が３月５日の記入範囲の中央において、後から不正に記入された強調表示対象４２ｃ及び４２ｄの記入情報が存在する。
【００５６】
例えば、制御部３１は、強調表示対象の記入情報に係る記入時点と、強調表示される記入情報の周辺に位置する記入情報に係る記入時点とを一覧にして表示するように制御しても良い。図１１に示す例では、表示画面４ｂの左端に、左頁の記入時点表示４５ａを表示し、表示画面４ｂの右端に、右頁の記入時点表示４５ｂを表示している。左頁の記入時点表示４５ａには、「３月４日」、「３月６日」、「３月４日」と記入位置の昇順に記入時点が表示されている。
【００５７】
以上、記入情報表示装置３は、記入情報の記入時点及び記入位置を取得し、記入時点及び記入位置を参照し、所定の判定条件に基づいて、過去に遡及している記入情報を強調表示するように制御する。これによって、後から不正に記入された情報を容易に発見することが可能となる。
【００５８】
また、記入情報表示装置３は、記入時点が所定の単位期間を超えて過去に遡及している記入情報を強調表示対象として決定する。これによって、判定範囲に一定の幅ができるため、不正ではないのに、不正と判断してしまう誤検知を減らすことができる。
【００５９】
また、記入情報表示装置３は、電子ペン１から受信する記入時刻を記入情報ごとの記入時点として取得するようにしても良い。これによって、記入時点を正確に取得することができる。
【００６０】
また、記入情報表示装置３は、強調表示される記入情報に係る記入時点を表示するように制御しても良い。これによって、ユーザは、強調表示される記入情報に係る記入時点を確認しながら、不正に追記された記入情報か否かを判断することができる。
【００６１】
また、記入情報表示装置３は、更に、強調表示される記入情報の周辺に位置する記入情報に係る記入時点を表示するように制御しても良い。これによって、強調表示対象の記入情報とその周辺の記入情報の記入時点を確認しながら、不正に追記された記入情報か否かを判断することができる。
【００６２】
なお、前述の説明では、記入帳２が紙媒体としたが、記入帳２は、紙媒体に代えて、タッチパネルディスプレイを有するタブレット端末等であっても良い。記入帳２がタブレット端末等である場合、電子ペン１は、インキが充填されていないペン部を備える。この場合の構成例としては、例えば、特開２０１４−２１９９２９号公報に記載されており、前述の記入帳２が紙媒体の場合と同様に本発明を適用することができる。
【００６３】
以上、添付図面を参照しながら、本発明に係る記入情報表示装置等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００６４】
１………電子ペン
２、２ａ、２ｂ………記入帳
３………記入情報表示装置
３１………制御部
３２………記憶部
３３………メディア入出力部
３４………通信制御部
３５………入力部
３６………表示部
３７………周辺機器Ｉ／Ｆ部
４ａ、４ｂ………表示画面
４１ａ、４１ｂ………表示画像
４２ａ、４２ｂ、４２ｃ………強調表示対象
４３………マウスポインタ
４４………ポップアップ
４５ａ、４５ｂ………記入時点表示
【図１】
2016105229.tif 000003
【図２】
2016105229.tif 000004
【図３】
2016105229.tif 000005
【図４】
2016105229.tif 000006
【図５】
2016105229.tif 000007
【図６】
2016105229.tif 000008
【図７】
2016105229.tif 000009
【図８】
2016105229.tif 000010
【図９】
2016105229.tif 000011
【図１０】
2016105229.tif 000012
【図１１】
2016105229.tif 000013